(57)【要約】【課題】錠剤収納前あるいは使用後における容器自体のコンパクト化並びに経済性に加えて、収納した錠剤の欠け、割れを防止するための緩衝作用性を備える錠剤収納容器の提供を目的とする。【解決手段】容器本体２の口部３と底部５を除く高さ方向の一部あるいは全部の周側壁部に、水平方向の蛇腹状部８を形成し、当該容器本体２の高さ方向の一方あるいは両方から前記蛇腹状部８を中心方向に押し出した際に、当該蛇腹状部８の各襞８ａが重なり合う潰された状態を保つことができるように形成し、かつこの容器本体２の底部５に緩衝用のベースカップ６を着脱自在に嵌着するとともに口部３にキャップ４を着脱自在に螺着することにより構成されている。【選択図】図１
2012218756.tif 000002
【特許請求の範囲】
【請求項１】
上端部の錠剤収納用の口部と底部を除く、高さ方向の一部あるいは全部の周側壁部に、水平方向の蛇腹状部を形成し、その高さ方向の一方あるいは両方から中心方向に押し圧した際に前記蛇腹状部分が重なり合う潰された状態を保つことができるように形成した容器本体と、この容器本体の前記底部に、緩衝用のベースカップを着脱自在に嵌着するとともに前記容器本体の口部に容器本体用のキャップを着脱自在に螺着することにより構成したことを特徴とする錠剤収納容器。
【請求項２】
前記容器本体の底部に、前記ベースカップを着脱自在に嵌着する構成は、
前記容器本体の底部に、前記ベースカップを着脱自在に保持する筒状部を設けるとともに該筒状部の外周側に沿って環状の係合縁を設け、かつ前記ベースカップを有底のカップ本体にて形成するとともに該カップ本体の開口部の開口縁に沿って、前記容器本体の環状の係合縁に係合あるいは係脱することのできる係合縁を設けて形成し、
前記容器本体の筒状部に対して前記ベースカップの開口部を、当該開口部の係合縁を容器本体の筒状部の係合縁に係合あるいは係脱しつつ前記容器本体の底部に前記ベースカップを嵌着あるいは離脱することができるように構成したことを特徴とする請求項１記載の錠剤収納容器。
【請求項３】
前記容器本体の筒状部の環状の係合縁は、当該筒状部の外周側に設けた、環状の凹条の係合縁にて形成するとともに、前記ベースカップの係合縁は、前記カップ本体の開口部の開口縁に沿って形成した前記容器本体の凹条の係合縁に係合あるいは係脱し得る係合突縁にて形成することにより構成したことを特徴とする請求項２記載の錠剤収納容器。
【請求項４】
前記容器本体の底部に着脱自在に嵌着するベースカップは、有底のカップ本体と、該カップ本体の筒状部の上側に、逆盃状の筒状部を設けるとともに、該筒状部の開口部に前記容器本体の底部に設けた筒状部に対して着脱自在な嵌着用の筒状部を設けることにより、該筒状部を介して前記容器本体の底部の筒状部にベースカップを嵌着した際に、ベースカップの有底のカップ本体の内部に衝撃吸収用の機密的な空間部を形成することができるように構成したことを特徴とする請求項１記載の錠剤収納容器。
【請求項５】
前記容器本体の底部に、前記ベースカップを着脱自在に嵌着する構成は、
前記容器本体の底部に前記ベースカップを着脱自在に保持する筒状部を設けるとともに当該筒状部の外周側に沿って環状の係合縁を設け、かつ前記ベースカップの前記逆盃状の筒状部の開口部の開口縁に沿って、前記容器本体の環状の係合縁に係合あるいは係脱することのできる係合縁を設けて形成し、
前記容器本体の筒状部に対して前記ベースカップの逆盃状の筒状部の開口部を、当該開口部の係合縁を容器本体の筒状部の係合縁に係合あるいは係脱しつつ前記容器本体の底部に前記ベースカップを嵌着あるいは離脱することができるように構成したことを特徴とする請求項４記載の錠剤収納容器。
【請求項６】
前記容器本体の筒状部の環状の係合縁は、当該筒状部の外周側に設けた環状の係合突縁にて形成するとともに、前記ベースカップの係合縁は、前記カップ本体の逆盃状の筒状部の開口部の開口縁に沿って形成した前記容器本体の係合突縁に係合あるいは係脱し得る凹条の係合縁にて形成することにより構成したことを特徴とする請求項５記載の錠剤収納容器。
【発明の詳細な説明】
【技術分野】
【０００１】
本発明は錠剤収納容器、特に錠剤の収納前あるいは使用後における容器自体のコンパクト化並びに経済性に加えて、収納した錠剤の欠け、割れを防止するための緩衝作用性を備える錠剤収納容器に関する。
【背景技術】
【０００２】
錠剤収納容器は、錠剤を収納後、該錠剤上方にプラスチックシートを塊状に丸めて緩衝しつつキャップを施着して収納することが一般的である。また、かかる緩衝方法による錠剤の破損を、さらに徹底して保護すべく、図４に示す錠剤収納容器１００が開発されている。
【０００３】
すなわち、当該錠剤収納容器１００は、外容器体１０１と、該外容器体１０１の口頸部１０４上端面へ外向きフランジ１１３を係合させて、該外容器体１０１内へ吊下げた弾性内容器体１１１と、外容器体１０１口頸部外面へ嵌号させたキャップ１２１とからなり、内容器体１１１周壁部１１２には蛇腹部１１４を横設し、その弾性変形により伸縮可能な衝撃吸収部１１７を付形することにより構成したものである。
【０００４】
そして、かかる錠剤収納容器１００は、内容器体１１１内に錠剤を収納するとともに外容器体１０１の口頸部１０４外面へ周壁１２２を螺合させてキャップ１２１を螺着する。
【０００５】
また、このキャップ１２１頂枝１２３下面にはパッキング１２４を介してスポンジ製の栓１２５を付設し、前記したプラスチックシートを丸めて介装する緩衝材に代えている。
【０００６】
他方、当該錠剤収納容器１００の技術分野においては、特に収納した錠剤の使用前あるいは使用後におけるコンパクト化並びに経済性を向上する目的の開発はされてきていなかった。
【０００７】
しかし、飲料用のペットボトルについては出願人が既に多数の特許出願をするとともに特許を得ている。その中の代表的なものとして特許第４１０６２２９号を図６に示す。
【０００８】
当該特許発明の容器は、図６（ａ）に示されるようにブロー成型方法などで造型されたジュースやミネラルウォータの容器２００で、容器本体２０１の飲み口部２０３を除いて、底部２０６に至る全長を水平方向の蛇腹状２０２に形成することにより、容器本体２０１内のジュースやミネラルウォータを飲み干した時には、容器本体２０１を上下方向から押し潰すことにより図６（ｂ）に示す如く、前記蛇腹状２０２の各襞２０４を互い重なり合う押し潰された状態に圧縮することができ、容器２００自体の高さを縮小し、コンパクト化できるようにして、容器自体の破棄処理等の作業性を簡便ならしめるべく開発されたものである。
【先行技術文献】
【特許文献】
【０００９】
【特許文献１】特開２００１−３４１７７９号公報
【特許文献２】特許第４１０６２２９号公報
【発明の概要】
【発明が解決しようとする課題】
【００１０】
前記緩衝剤としてのプラスチックシートを丸めて介装する方法に代えて開発された錠剤収納容器１００によれば、内容器体１１１の衝撃吸収部１１７により収納した錠剤の破損（欠け、割れ）をより効果的に達成し得る反面、外容器体１０１に加えて衝撃吸収部１１７を備える内容器体１１１が必要不可欠となり、錠剤収納器自体の価格が高価となる欠点を有する。
また、錠剤収納容器の使用前および使用後における保管、運搬上、嵩張り容器自体の保管、運搬上のスペース上大きな問題となっており、特に、医療機関においては、その保管スペース上、使用後の破棄処理に当たり、錠剤収納容器自体が嵩張ることによる取扱が不便で紙製容器等の如く縮小した状態の処理の可能性が切望されるところであった。
【００１１】
また、前記ペットボトル２００については、当該ペットボトル２００自体のコンパクト化が発揮される反面、これを当該錠剤容器収納容器への利用を考慮されたものでないことから、これをそのまま錠剤容器に適用することは不可能であった。
【００１２】
よって、本発明は収納した錠剤に対する破損防止に対する前記錠剤収納器と同様の衝撃吸収作用と効果を得られるとともに安価で、しかも、錠剤の収納前および使用後に当たっては、容器体自体を高さ方向に縮小した状態にて取り扱うことができる錠剤収納容器の提供を目的とするものである。
【課題を解決するための手段】
【００１３】
本発明の請求項１に係る錠剤収納容器は、上端部の錠剤収納用の口部と底部を除く、高さ方向の一部あるいは全部の周側壁部に、水平方向の蛇腹状部を形成し、その高さ方向の一方あるいは両方から中心方向に押し圧した際に前記蛇腹状部分が重なり合う潰された状態を保つことができるように形成した容器本体と、この容器本体の前記底部に、緩衝用のベースカップを着脱自在に嵌着するとともに前記容器本体の口部に容器本体用のキャップを着脱自在に螺着することにより構成したことを特徴とする。
【００１４】
本発明の請求項２にかかる錠剤収納容器は、前記請求項１記載の錠剤収納容器において、前記容器本体の底部に、前記ベースカップを着脱自在に嵌着する構成は、前記容器本体の底部に、前記ベースカップを着脱自在に保持する筒状部を設けるとともに該筒状部の外周側に沿って環状の係合縁を設け、かつ前記ベースカップを有底のカップ本体にて形成するとともに該カップ本体の開口部の開口縁に沿って、前記容器本体の環状の係合縁に係合あるいは係脱することのできる係合縁を設けて形成し、前記容器本体の筒状部に対して前記ベースカップの開口部を、当該開口部の係合縁を容器本体の筒状部の係合縁に係合あるいは係脱しつつ前記容器本体の底部に前記ベースカップを嵌着あるいは離脱することができるように構成したことを特徴とする。
【００１５】
本発明の請求項３にかかる錠剤収納容器は、前記請求項２記載の錠剤収納容器において、前記容器本体の筒状部の環状の係合縁は、当該筒状部の外周側に設けた、環状の凹条の係合縁にて形成するとともに、前記ベースカップの係合縁は、前記カップ本体の開口部の開口縁に沿って形成した前記容器本体の凹条の係合縁に係合あるいは係脱し得る係合突縁にて形成することにより構成したことを特徴とする。
【００１６】
本発明の請求項４にかかる錠剤収納容器は、前記請求項１記載の錠剤収納容器において、前記容器本体の底部に着脱自在に嵌着するベースカップは、有底のカップ本体と、該カップ本体の筒状部の上側に、逆盃状の筒状部を設けるとともに、該筒状部の開口部に前記容器本体の底部に設けた筒状部に対して着脱自在な嵌着用の筒状部を設けることにより、該筒状部を介して前記容器本体の底部の筒状部にベースカップを嵌着した際に、ベースカップの有底のカップ本体の内部に衝撃吸収用の機密的な空間部を形成することができるように構成したことを特徴とする。
【００１７】
本発明の請求項５にかかる錠剤収納容器は、前記請求項４記載の錠剤収納容器において、前記容器本体の底部に、前記ベースカップを着脱自在に嵌着する構成は、前記容器本体の底部に前記ベースカップを着脱自在に保持する筒状部を設けるとともに当該筒状部の外周側に沿って環状の係合縁を設け、かつ前記ベースカップの前記逆盃状の筒状部の開口部の開口縁に沿って、前記容器本体の環状の係合縁に係合あるいは係脱することのできる係合縁を設けて形成し、前記容器本体の筒状部に対して前記ベースカップの逆盃状の筒状部の開口部を、当該開口部の係合縁を容器本体の筒状部の係合縁に係合あるいは係脱しつつ前記容器本体の底部に前記ベースカップを嵌着あるいは離脱することができるように構成したことを特徴とする。
【００１８】
本発明の請求項６にかかる錠剤収納容器は、前記請求項５記載の錠剤収納容器において、前記容器本体の筒状部の環状の係合縁は、当該筒状部の外周側に設けた環状の係合突縁にて形成するとともに、前記ベースカップの係合縁は、前記カップ本体の逆盃状の筒状部の開口部の開口縁に沿って形成した前記容器本体の係合突縁に係合あるいは係脱し得る凹条の係合縁にて形成することにより構成したことを特徴とする。
【発明の効果】
【００１９】
本発明の請求項１の錠剤収納容器によれば、容器本体は、口部および底部を除く、高さ方向の一部あるいは全部の周側壁部に形成した水平方向の蛇腹状部にて、その高さ方向の一方あるいは両方から中心方向に押し圧した際に、前記蛇腹状部が重なり合う潰された状態を保つことができ、その形状を縮小し、コンパクト化した形態にて保管、搬送することが可能であり、容器本体の底部から、ベースカップを取り外した状態にて、さらに縮小、コンパクト化することができる利点を有する。その結果、医療機関における使用後の廃棄処理作業の簡便化を大いに向上することができる。
【００２０】
また、特に容器本体の底部に嵌着したベースカップの衝撃吸収作用により、容器本体内に収納した錠剤の破損、特に欠けおよび割れによる破損を適確に防止することができる。
【００２１】
すなわち、商品としての取り扱い上の移動あるいは保管等の管理時等における搬送時に容器本体の縦方向からの衝撃についてはベースカップの衝撃吸収作用によりこれを吸収しつつ、錠剤の欠け、割れの破損を防止することができる。
【００２２】
そして、錠剤収納容器の横方向からの衝撃については、容器本体の蛇腹状部の各襞のたわみ作用によりこれを吸収しつつ、錠剤の欠け、割れの破損を防止することができる。
【００２３】
しかも、同様にして容器本体の縦方向からの衝撃については、容器本体の蛇腹状部の各襞のたわみ作用によってもこれを吸収しつつ、錠剤の欠け、割れの破損を防止することができる。
【００２４】
さらに、本発明の錠剤収納容器は、前記した従来の錠剤収納容器の如く、外容器体内に弾性内容器体を吊下げで構成する場合に比較して構成が簡略化できるとともに安価に製造、提供し得る利点を有し、経済性を向上することができる。
【００２５】
そして、ベースカップについては、容器本体に錠剤収納後の搬送時あるいは商品販売時における衝撃吸収作用を得る目的であり、これが不必要となった錠剤使用時には、当該ベースカップを容器本体より取り外しての使用が可能である。
また、当該ベースカップは、容器本体の底部に対する着脱自在なる構成により、当初より再利用を考慮した実施が可能である。
【００２６】
また、請求項４の錠剤収納容器によれば、前記容器本体の底部に嵌着するベースカップを、有底のカップ本体の筒状部の上側に、逆盃状の筒状部および容器本体の底部の筒状部との嵌着用の筒状部を設け、容器本体に前記筒状部を介して嵌着した際に、カップ本体の上側部に衝撃吸収用の機密的な空間部を形成することができるように構成したので、特に錠剤収納容器の落下時における衝撃をより効果的に吸収し、収納した錠剤の破損を防止することができる。
【００２７】
また、同様の作用により落下時のみならず容器本体に対する縦方向からの衝撃に対して、前記した蛇腹状部の衝撃吸収作用との相乗的な吸収作用により衝撃吸収作用を助長することができる。
【００２８】
さらに、請求項２，３，並びに請求項５，６の容器本体とベースカップの着脱の構成によれば、両者の適確な着脱操作性および嵌着作用を得ることができる。
【図面の簡単な説明】
【００２９】
【図１】本発明の実施例１を示す一部を縦断した錠剤収納容器の正面図である。
【図２】（ａ）は本発明の実施例１を示す容器本体の正面図、（ｂ）はベースカップの一部を縦断した正面図である。
【図３】（ａ）は容器本体の蛇腹状部を縮小した状態を示す説明図、（ｂ）は蛇腹状部の襞の形状を示す説明図である。
【図４】本発明の実施例２を示すもので、（ａ）は容器本体の底部にベースカップを嵌着した正面図、（ｂ）は容器本体の底部よりベースカップを取り外した状態の容器本体の正面図、（ｃ）はベースカップの正面図、（ｄ）は容器本体の底部にベースカップを嵌着した状態を示す一部を縦断した拡大正面図である。
【図５】従来の錠剤収納容器の一部を縦断した正面図である。
【図６】（ａ）は、上方下方から押し潰すことができるようにした容器の正面図、（ｂ）は押し潰した状態を示す説明図である。
【発明を実施するための形態】
【００３０】
以下本発明の実施例を図面とともに詳細に説明する。
【実施例１】
【００３１】
図１〜図３は本発明の実施例１を示すもので、図１は錠剤収納容器の正面図、図２（ａ）は口部のキャップおよび底部のベースカップを取り外した容器本体の正面図、同（ｂ）はベースカップの一部を縦断した正面図、同（ｃ）は、容器本体の底部にベースカップを嵌着した状態の一部を縦断した部分正面図、図３（ａ）は容器本体の蛇腹状部を縮小した状態を示す説明図、同（ｂ）は蛇腹状部の襞の形状を示す説明図である。
【００３２】
本発明の錠剤収納容器１は、容器本体２と、この容器本体２の、上端部に設けた錠剤収納用の口部３にキャップ４を着脱自在に螺着するとともに底部５に着脱自在に嵌着した衝吸収用のベースカップ６から構成されている。そして、前記容器本体２は、前記キャップ４の螺着部３ａより下側部にラベル（図示せず）あるいは外周面に錠剤内容等の表示用の周側壁部７を設け、当該周側壁部７と底部５間の周側壁部に、水平方向の蛇腹状部８を設けることにより、図３（ａ）に示すように当該蛇腹状部８を、前記周側壁部７と底部５方向からの押し圧力にて押し潰すことによって、蛇腹状部８の各襞８ａが重なり合う潰された状態を保つことができるように形成されている。
【００３３】
また、前記蛇腹状部８は、複数の蛇腹状の襞８ａを連続して形成したもので、各襞８ａの形状については、図３（ｂ）に示す如く、外側方向に突出する山部Ｑを介して上下方向に連結する上辺部８ｂ、下辺部８Ｃとから形成されるとともに各襞８ａは、上下方向の各襞８ａの下辺部８Ｃと上辺部８ｂの端部が、容器本体１の内側方向に突出する谷部Ｐにて連結されることにより形成されている。
【００３４】
尚、図３（ｂ）においては、前記周側壁部７の端部７ａに連結される下辺部８Ｃの端部が谷部Ｐを介して直近の襞８ａの上辺部８ｂの端部に連結するとともに山部Ｑを介して下辺部８Ｃが連結する状態を示すもので、この襞８ａにたいして、下側方向に、以下の各襞８ａが連結形成されるものである。
【００３５】
そして、当該蛇腹状部８の各襞８ａの構成により、押し潰し作用の向上を計る構成が種々発明されている。例えば、図３（ａ）において、各襞８ａの上辺部８ｂを直線状とするのに対して、下辺部８Ｃを外側方向に湾曲させる湾曲面とすることにより各襞８ａに加わる押圧力による押し潰し作用を受けやすくして、押潰し操作を助長することができるように構成することができる。
【００３６】
また、この作用に加えて、各襞８ａ間の谷部Ｐにおける上辺部８ｂと下辺部８ｃの連結部分において、上辺部８ｂの端部に湾曲凹部８ｄを設ける構成が、さらに前記押潰し操作性を向上し得るものとして開発されている。
【００３７】
よって、前述してきた容器本体２に形成する前記蛇腹状部８の構成については、従来公知の種々の形態を採用しつつ実施することが可能である。前記ベースカップ６は、前記容器体２の底部５に着脱自在に嵌着することができるように形成されている。
【００３８】
すなわち、容器本体２の底部５の筒状部５ａの上側周壁は、前記蛇腹状部８の最下段の襞８ａの下辺部８ｃに連結する上辺部８ｂを介して連結されることにより一体に形成されるとともに当該上辺部８ｂと底部５の筒状部５ａの上側周壁間にはベースカップ６との環状の係合縁５ａが凹設されている。また、ベースカップ６は有底のカップ本体６ａとこのカップ本体６ａの開口部６ｂに前記容器本体２の底部５に形成された係合縁５ａに係合する係合突縁６ｃが開口縁に沿って突設されることにより一体に形成されている。
【００３９】
よって、前記ベースカップ６は、開口縁に突設した係合突縁６ａをその弾性により強制的に容器本体２の底部５の筒状部５ａの係合縁５ｂに係合することにより底部５に嵌着することができるとともに、逆に係合突縁６ａをその弾性により強制的に底部５の係合縁５ｂより離脱することにより、底部５より取り外すことができるように形成されている。
【００４０】
さて、以上の構成から成る本実施例から成る錠剤収納容器１は、容器本体２をペット樹脂等の合成樹脂により一体成形するとともにキャップ３およびベースカップ６をそれぞれ所要の樹脂材料により一体成形するとともに必要に応じて、容器本体２の口部３にキャップ４を螺着し、かつ底部５にベースカップ６を嵌着して使用する。すなわち、所要の錠剤は、容器本体２内に口部３より収納するとともにキャップ４を螺着部３ａに螺着することにより錠剤を収納するものであるが、その錠剤搬送時の破損を防止するには、必要に応じて従来と同様にキャップ４の螺着に先立ってプラスチックシートを丸めて介装するそして、容器本体２の底部５には、ベースカップ６を嵌着することにより容器本体２内に収納した錠剤を搬送するものである。
【００４１】
よって、容器本体２内に収納された錠剤は容器本体２の蛇腹状部８の緩衝作用により破損が防止されるとともに例えば容器本体２が落下した場合にも、底部５に嵌着されるベースカップ６による緩衝作用により容器本体２内の錠剤の破損を防止することができるものである。
【００４２】
尚、錠剤収納後に口部３に介装されたプラスチックシート（図示しない）による緩衝によっても破損が防止されることは言うまでもない。さて、前記錠剤の破損防止作用に加えて、本実施例による錠剤収納容器１によれば容器本体２の蛇腹状部８により、容器本体２を上下方向から中心方向に押圧することによって、同部を押し潰した状態、すなわち、図３（ｂ）の状態に縮小することができる。
【００４３】
その結果、錠剤使用後の容器本体２の保管、搬送並びに廃棄処理作業を簡便ならしめることができる。また、そのスペースも従来の錠剤容器の容積に比し、少なくとも３分の一は縮小することができるので、保管、搬送並びに廃棄作業の効率を大幅に向上することができる。さらに、錠剤の種類によっては、ベースカップ６の再利用を計ることができる。
【００４４】
尚、以上の実施例上、特に、容器本体２の構成については上側部に周壁が平面の周側壁部７を設け、同部７に印刷による表示あるいは図面にラベル等を表示することができるようにしたが、同周側壁部７を設けず、容器本体２全長に蛇腹状部８を形成した実施も勿論可能である。
【００４５】
（落下実験）
本発明錠剤収納容器の衝撃吸収作用効果を確認するため、比較容器Ａ（従来容器）および比較容器Ｂ（蛇腹式容器）と本発明の実施例１の錠剤収納容器１をそれぞれ落下試験を行い以下の表１〜６の落下試験結果を得た。
【００４６】
（試験方法）
〈縦方向落下〉
（１）レールを用い、高さ８０ｃｍの位置から各容器をレールに沿って縦方向に落下させる。
（２）落下後、各容器から全錠剤・粉末を取り出し、欠け錠および割れ錠を計数する。
〈横方向落下〉
（１）実験用机（高さ８０ｃｍ）から各容器を実験用机に沿って横向きに静置し、机端から静かに落下させる。
（２）落下後、各容器から全錠剤・粉末を取り出し、欠け錠および割れ錠を計数する。
【００４７】
（備考）
各容器は、通常３３０ｍｇ用容器であって、比較容器Ａは現行ボトル、比較容器Ｂは実施例１の容器本体２の底部５にベースカップ６を嵌着しない蛇腹式容器であるとともに本発明容器は、容器本体２の底部５にベースカップ６を嵌着した容器であって、それぞれの容器には錠剤を１０００錠充填したものである。
そして、各表における錠剤の欠けは、４ｍｍ２以上の欠け、錠剤の割れは、円形でないものをそれぞれ計数したものである。
【００４８】
【表１】
2012218756.tif 000003
【００４９】
【表２】
2012218756.tif 000004
【００５０】
【表３】
2012218756.tif 000005
【００５１】
【表４】
2012218756.tif 000006
【００５２】
【表５】
2012218756.tif 000007
【００５３】
【表６】
2012218756.tif 000008
【００５４】
以上の表１〜６の落下試験結果から明らかな通り、現行ボトル（比較容器Ａ）および蛇腹ボトル（比較容器Ｂ）に比較して、本発明容器の容器本体２の底部にベースカップ６を嵌着した容器の衝撃吸収作用効果は、不良錠剤発生率において格段の相違があり極めて効果的であることが明らかである。
【実施例２】
【００５５】
図４は、本発明の実施例２を示すもので、図４（ａ）は容器本体の底部にベースカップを嵌着した正面図、図４（ｂ）は容器本体の底部よりベースカップを取り外した状態の容器本体の正面図、図４（ｃ）はベースカップの正面図、図４（ｄ）は容器本体の底部にベースカップを嵌着した状態を示す一部を縦断した拡大正面図である。
【００５６】
この実施例２は、前記実施例１における容器本体２の底部５並びに当該底部５に着脱自在に嵌着するベースカップ６の構成について、所期作用効果より適確に得られるようにしたものである。
【００５７】
すなわち、容器本体２の底部５には、容器本体２の蛇腹状部８の最下段の襞８ａの下辺部８ｃに、各襞８ａの最小外径（各襞８ａの上、下辺部８ｂ、８ｃ間の外径）と略同一外径からなる座掘時（各襞８ａの重なり合う潰されて状態時）のストッパー用筒状部９を連設するとともにこの筒状部９と底部５の外周側に沿ってベースカップ１１とのストッパーリブ１０を突設することにより容器本体２と一体に形成されている。
【００５８】
他方、ベースカップ１１は、前記容器本体２の蛇腹状部８の最大外径と同径かあるいは若干大径の外径からなるカップ状の本体１１ａの開口部に逆盃状の筒状部１１ｂを設けるとともにこの筒状部１１ｂに前記容器本体２の底部５に設けたストッパー用筒状部９の外側に外嵌する嵌着用の筒状部１１ｃを連設することにより一体に形成されている。
【００５９】
また、このベースカップ１１の前記嵌着用の筒状部１１ｃの内側周縁に沿って容器本体２の底部５の筒状部９外周に突設したストッパーリブ１０に嵌合する係合用の凹溝１１ｄを設けてある。
【００６０】
そして、前記ベースカップ１１の容器本体２の底部５の筒状部９の外側に嵌着する筒状部１１ｃの内径は、筒状部９の外径と同一かあるいは若干細径とすることによりベースカップ１１の形成材料の有する弾性により、当該筒状部１１ｃを筒状部９に対して着脱自在に外嵌しつつ嵌着することができるように構成する。
【００６１】
すなわち、この筒状部９、１１ｃの着脱操作により前記ベースカップ１１を容器本体２の底部５に対して着脱し得るように構成したものである。
また、前記筒状部１１ｃを筒状部９に外嵌した際には、筒状部１１ｃの内側周縁に設けた凹溝１１ｄが筒状部９の外周側に突設したストッパーリブ１０に係合し、筒状部１１ｃの筒状部９からの抜脱を防止することができるように構成されている。
【００６２】
よって、以上の構成からなる実施例２の錠剤収納容器１において、前記ベースカップ１１を容器本体２の底部５に嵌着した場合、逆盃状の筒状部１１ｂの上側の筒状部１１ｃが容器本体２の底部５の筒状部９に嵌着されることにより気密性が発生し、ベースカップ１１のカップ本体１１ａの内側に機密的な空間部を構成することができる。
【００６３】
従って、当該ベースカップ１１を容器本体２の底部５に嵌着することによって得ようとする容器本体２内に収納した錠剤の欠け、割れ等の破損防止作用上、前記実施例１のベースカップ６による作用効果に比較して、前記ベースカップ１１の場合にはカップ本体１１ａの内側に形成される機密的な空間部による衝撃吸収作用が大幅に向上し、より効果的な錠剤の破損防止効果を発揮することができるものである。
【００６４】
尚、前記実施例２の錠剤収納容器１における前記以外の構成上、実施例１と同一の構成については同一の番号を付してその説明を省略する。
【符号の説明】
【００６５】
１    錠剤収納容器
２    容器本体
３    口部
３ａ  螺着部
４    キャップ
５    底部
５ａ  係合縁
６、１１  ベースカップ
６ａ  係合縁
７    周側壁部
８    蛇腹状部
８ａ  襞
８ｂ  上辺部
８ｃ  下辺部
９    ストッパー用筒状部
１０  ストッパーリブ
１１ａ  本体
１１ｂ  筒状部
１１ｃ  嵌着用の筒状部
１１ｄ  凹溝
Ｑ    山部
Ｐ    谷部
【図１】
2012218756.tif 000009
【図２】
2012218756.tif 000010
【図３】
2012218756.tif 000011
【図４】
2012218756.tif 000012
【図５】
2012218756.tif 000013
【図６】
2012218756.tif 000014
【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
容器本体の上端部の錠剤収納用の口部と底部を除く、高さ方向の一部あるいは全部の周側壁部に、水平方向の蛇腹状部を形成し、当該蛇腹状部の各襞のたわみ作用により、前記容器本体に対する縦および横方向からの衝撃を吸収しつつ、当該容器本体内に収納した錠剤の欠け、割れの破損を防止することができるように構成した錠剤収納容器において、
前記蛇腹状部は、その高さ方向の一方あるいは両方から中心方向に押し圧した際に前記蛇腹状部分が重なり合う潰された状態を保つことができるように形成し、前記容器本体の形状を縮小し、コンパクト化した形態にて、保管搬送することができるように構成するとともに前記容器本体の底部に、緩衝用ベースカップを着脱自在に嵌着し、前記容器本体の蛇腹状部の各襞のたわみ作用との相乗作用による緩衝作用により、前記錠剤収納容器の落下時における容器本体に収納される錠剤の欠け、割れの破損を防止することができるように構成し、さらに前記容器本体の口部に容器本体用のキャップを着脱自在に螺着することにより構成したことを特徴とする錠剤収納容器。
【請求項２】
前記容器本体の底部に、前記緩衝用ベースカップを着脱自在に嵌着する構成は、
前記容器本体の底部に、前記緩衝用ベースカップを着脱自在に保持する筒状部を設けるとともに該筒状部の外周側に沿って環状の係合縁を設け、かつ前記緩衝用ベースカップを有底のカップ本体にて形成するとともに該カップ本体の開口部の開口縁に沿って、前記容器本体の環状の係合縁に係合あるいは係脱することのできる係合縁を設けて形成し、
前記容器本体の筒状部に対して前記緩衝用ベースカップの開口部を、当該開口部の係合縁を容器本体の筒状部の係合縁に係合あるいは係脱しつつ前記容器本体の底部に前記緩衝用ベースカップを嵌着あるいは離脱することができるように構成したことを特徴とする請求項１記載の錠剤収納容器。
【請求項３】
前記容器本体の筒状部の環状の係合縁は、当該筒状部の外周側に設けた、環状の凹条の係合縁にて形成するとともに、前記緩衝用ベースカップの係合縁は、前記カップ本体の開口部の開口縁に沿って形成した前記容器本体の凹条の係合縁に係合あるいは係脱し得る係合突縁にて形成することにより構成したことを特徴とする請求項２記載の錠剤収納容器。
【請求項４】
前記容器本体の底部に着脱自在に嵌着する緩衝用ベースカップは、有底のカップ本体と、該カップ本体の筒状部の上側に、逆盃状の筒状部を設けるとともに、該筒状部の開口部に前記容器本体の底部に設けた筒状部に対して着脱自在な嵌着用の筒状部を設けることにより、該筒状部を介して前記容器本体の底部の筒状部に緩衝用ベースカップを嵌着した際に、緩衝用ベースカップの有底のカップ本体の内部に衝撃吸収用の気密的な空間部を形成することができるように構成したことを特徴とする請求項１記載の錠剤収納容器。
【請求項５】
前記容器本体の底部に、前記緩衝用ベースカップを着脱自在に嵌着する構成は、
前記容器本体の底部に前記緩衝用ベースカップを着脱自在に保持する筒状部を設けるとともに当該筒状部の外周側に沿って環状の係合縁を設け、かつ前記緩衝用ベースカップの前記逆盃状の筒状部の開口部の開口縁に沿って、前記容器本体の環状の係合縁に係合あるいは係脱することのできる係合縁を設けて形成し、
前記容器本体の筒状部に対して前記緩衝用ベースカップの逆盃状の筒状部の開口部を、当該開口部の係合縁を容器本体の筒状部の係合縁に係合あるいは係脱しつつ前記容器本体の底部に前記緩衝用ベースカップを嵌着あるいは離脱することができるように構成したことを特徴とする請求項４記載の錠剤収納容器。
【請求項６】
前記容器本体の筒状部の環状の係合縁は、当該筒状部の外周側に設けた環状の係合突縁にて形成するとともに、前記緩衝用ベースカップの係合縁は、前記カップ本体の逆盃状の筒状部の開口部の開口縁に沿って形成した前記容器本体の係合突縁に係合あるいは係脱し得る凹条の係合縁にて形成することにより構成したことを特徴とする請求項５記載の錠剤収納容器。
【手続補正２】
【補正対象書類名】明細書
【補正対象項目名】全文
【補正方法】変更
【補正の内容】
【発明の詳細な説明】
【技術分野】
【０００１】
本発明は錠剤収納容器に収納した錠剤の欠け、割れを防止するための緩衝作用性を備えるとともに錠剤の収納前あるいは使用後における容器自体のコンパクト化並びに経済性を備える錠剤収納容器に関する。
【背景技術】
【０００２】
錠剤収納容器は、錠剤を収納後、該錠剤上方にプラスチックシートを塊状に丸めて緩衝しつつキャップを施着して収納することが一般的である。また、かかる緩衝方法による錠剤の破損を、さらに徹底して保護すべく、図５に示す錠剤収納容器１００が開発されている。
【０００３】
すなわち、当該錠剤収納容器１００は、外容器体１０１と、該外容器体１０１の口頸部１０４上端面へ外向きフランジ１１３を係合させて、該外容器体１０１内へ吊下げた弾性内容器体１１１と、外容器体１０１口頸部外面へ嵌号させたキャップ１２１とからなり、内容器体１１１周壁部１１２には蛇腹部１１４を横設し、その弾性変形により伸縮可能な衝撃吸収部１１７を付形することにより構成したものである。
【０００４】
そして、かかる錠剤収納容器１００は、内容器体１１１内に錠剤を収納するとともに外容器体１０１の口頸部１０４外面へ周壁１２２を螺合させてキャップ１２１を螺着する。
【０００５】
また、このキャップ１２１頂枝１２３下面にはパッキング１２４を介してスポンジ製の栓１２５を付設し、前記したプラスチックシートを丸めて介装する緩衝材に代えている。
【０００６】
他方、当該錠剤収納容器１００の技術分野においては、特に収納した錠剤の使用前あるいは使用後におけるコンパクト化並びに経済性を向上する目的の開発はされてきていなかった。
【０００７】
しかし、飲料用のペットボトルについては出願人が既に多数の特許出願をするとともに特許を得ている。その中の代表的なものとして特許第４１０６２２９号を図６に示す。
【０００８】
当該特許発明の容器は、図６（ａ）に示されるようにブロー成型方法などで造型されたジュースやミネラルウォータの容器２００で、容器本体２０１の飲み口部２０３を除いて、底部２０６に至る全長を水平方向の蛇腹状２０２に形成することにより、容器本体２０１内のジュースやミネラルウォータを飲み干した時には、容器本体２０１を上下方向から押し潰すことにより図６（ｂ）に示す如く、前記蛇腹状２０２の各襞２０４を互い重なり合う押し潰された状態に圧縮することができ、容器２００自体の高さを縮小し、コンパクト化できるようにして、容器自体の破棄処理等の作業性を簡便ならしめるべく開発されたものである。
【先行技術文献】
【特許文献】
【０００９】
【特許文献１】特開２００１−３４１７７９号公報
【特許文献２】特許第４１０６２２９号公報
【発明の概要】
【発明が解決しようとする課題】
【００１０】
前記緩衝剤としてのプラスチックシートを丸めて介装する方法に代えて開発された錠剤収納容器１００によれば、内容器体１１１の衝撃吸収部１１７により収納した錠剤の破損（欠け、割れ）をより効果的に達成し得る反面、外容器体１０１に加えて衝撃吸収部１１７を備える内容器体１１１が必要不可欠となり、錠剤収納器自体の価格が高価となる欠点を有する。
また、錠剤収納容器の使用前および使用後における保管、運搬上、嵩張り容器自体の保管、運搬上のスペース上大きな問題となっており、特に、医療機関においては、その保管スペース上、使用後の破棄処理に当たり、錠剤収納容器自体が嵩張ることによる取扱が不便で紙製容器等の如く縮小した状態の処理の可能性が切望されるところであった。
【００１１】
また、前記ペットボトル２００については、当該ペットボトル２００自体のコンパクト化が発揮される反面、これを当該錠剤容器収納容器への利用を考慮されたものでないことから、これをそのまま錠剤容器に適用することは不可能であった。
【００１２】
よって、本発明は収納した錠剤に対する破損防止に対する前記錠剤収納器と同様の衝撃吸収作用と効果を得られるとともに安価で、しかも、錠剤の収納前および使用後に当たっては、容器体自体を高さ方向に縮小した状態にて取り扱うことができる錠剤収納容器の提供を目的とするものである。
【課題を解決するための手段】
【００１３】
本発明の請求項１に係る錠剤収納容器は、容器本体の上端部の錠剤収納用の口部と底部を除く、高さ方向の一部あるいは全部の周側壁部に、水平方向の蛇腹状部を形成し、当該蛇腹状部の各襞のたわみ作用により、前記容器本体に対する縦および横方向からの衝撃を吸収しつつ、当該容器本体内に収納した錠剤の欠け、割れの破損を防止することができるように構成した錠剤収納容器において、前記蛇腹状部は、その高さ方向の一方あるいは両方から中心方向に押し圧した際に前記蛇腹状部分が重なり合う潰された状態を保つことができるように形成し、前記容器本体の形状を縮小し、コンパクト化した形態にて、保管搬送することができるように構成するとともに前記容器本体の底部に、緩衝用ベースカップを着脱自在に嵌着し、前記容器本体の蛇腹状部の各襞のたわみ作用との相乗作用による緩衝作用により、前記錠剤収納容器の落下時における容器本体に収納される錠剤の欠け、割れの破損を防止することができるように構成し、さらに前記容器本体の口部に容器本体用のキャップを着脱自在に螺着することにより構成したことを特徴とする。
【００１４】
本発明の請求項２にかかる錠剤収納容器は、前記請求項１記載の錠剤収納容器において、前記容器本体の底部に、前記緩衝用ベースカップを着脱自在に嵌着する構成は、前記容器本体の底部に、前記緩衝用ベースカップを着脱自在に保持する筒状部を設けるとともに該筒状部の外周側に沿って環状の係合縁を設け、かつ前記緩衝用ベースカップを有底のカップ本体にて形成するとともに該カップ本体の開口部の開口縁に沿って、前記容器本体の環状の係合縁に係合あるいは係脱することのできる係合縁を設けて形成し、前記容器本体の筒状部に対して前記緩衝用ベースカップの開口部を、当該開口部の係合縁を容器本体の筒状部の係合縁に係合あるいは係脱しつつ前記容器本体の底部に前記緩衝用ベースカップを嵌着あるいは離脱することができるように構成したことを特徴とする。
【００１５】
本発明の請求項３にかかる錠剤収納容器は、前記請求項２記載の錠剤収納容器において、前記容器本体の筒状部の環状の係合縁は、当該筒状部の外周側に設けた、環状の凹条の係合縁にて形成するとともに、前記緩衝用ベースカップの係合縁は、前記カップ本体の開口部の開口縁に沿って形成した前記容器本体の凹条の係合縁に係合あるいは係脱し得る係合突縁にて形成することにより構成したことを特徴とする。
【００１６】
本発明の請求項４にかかる錠剤収納容器は、前記請求項１記載の錠剤収納容器において、前記容器本体の底部に着脱自在に嵌着する緩衝用ベースカップは、有底のカップ本体と、該カップ本体の筒状部の上側に、逆盃状の筒状部を設けるとともに、該筒状部の開口部に前記容器本体の底部に設けた筒状部に対して着脱自在な嵌着用の筒状部を設けることにより、該筒状部を介して前記容器本体の底部の筒状部に緩衝用ベースカップを嵌着した際に、緩衝用ベースカップの有底のカップ本体の内部に衝撃吸収用の気密的な空間部を形成することができるように構成したことを特徴とする。
【００１７】
本発明の請求項５にかかる錠剤収納容器は、前記請求項４記載の錠剤収納容器において、前記容器本体の底部に、前記緩衝用ベースカップを着脱自在に嵌着する構成は、前記容器本体の底部に前記緩衝用ベースカップを着脱自在に保持する筒状部を設けるとともに当該筒状部の外周側に沿って環状の係合縁を設け、かつ前記緩衝用ベースカップの前記逆盃状の筒状部の開口部の開口縁に沿って、前記容器本体の環状の係合縁に係合あるいは係脱することのできる係合縁を設けて形成し、前記容器本体の筒状部に対して前記緩衝用ベースカップの逆盃状の筒状部の開口部を、当該開口部の係合縁を容器本体の筒状部の係合縁に係合あるいは係脱しつつ前記容器本体の底部に前記緩衝用ベースカップを嵌着あるいは離脱することができるように構成したことを特徴とする。
【００１８】
本発明の請求項６にかかる錠剤収納容器は、前記請求項５記載の錠剤収納容器において、前記容器本体の筒状部の環状の係合縁は、当該筒状部の外周側に設けた環状の係合突縁にて形成するとともに、前記緩衝用ベースカップの係合縁は、前記カップ本体の逆盃状の筒状部の開口部の開口縁に沿って形成した前記容器本体の係合突縁に係合あるいは係脱し得る凹条の係合縁にて形成することにより構成したことを特徴とする。
【発明の効果】
【００１９】
本発明の請求項１の錠剤収納容器によれば、容器本体は、口部および底部を除く、高さ方向の一部あるいは全部の周側壁部に形成した水平方向の蛇腹状部にて、その高さ方向の一方あるいは両方から中心方向に押し圧した際に、前記蛇腹状部が重なり合う潰された状態を保つことができ、その形状を縮小し、コンパクト化した形態にて保管、搬送することが可能であり、容器本体の底部から、緩衝用ベースカップを取り外した状態にて、さらに縮小、コンパクト化することができる利点を有する。その結果、医療機関における使用後の廃棄処理作業の簡便化を大いに向上することができる。
【００２０】
また、請求項１の錠剤収納容器によれば、商品としての取り扱い上の移動あるいは保管等の管理時等における搬送時に容器本体の縦方向からの衝撃については緩衝用ベースカップの衝撃吸収作用によりこれを吸収しつつ、錠剤の欠け、割れの破損を防止することができる。
【００２１】
そして、錠剤収納容器の横方向からの衝撃については、容器本体の蛇腹状部の各襞のたわみ作用によりこれを吸収しつつ、錠剤の欠け、割れの破損を防止することができる。
【００２２】
しかも、同様にして容器本体の縦方向からの衝撃については、容器本体の蛇腹状部の各襞のたわみ作用によってもこれを吸収しつつ、錠剤の欠け、割れの破損を防止することができる。
【００２３】
また、特に容器本体の底部に嵌着した緩衝用ベースカップの前記容器本体の蛇腹状部の各襞のたわみ作用との相乗作用による衝撃吸収作用により、容器本体内に収納した錠剤の破損、特に欠けおよび割れによる破損を適確に防止することができる。
【００２４】
さらに、本発明の錠剤収納容器は、前記した従来の錠剤収納容器の如く、外容器体内に弾性内容器体を吊下げで構成する場合に比較して構成が簡略化できるとともに安価に製造、提供し得る利点を有し、経済性を向上することができる。
【００２５】
そして、緩衝用ベースカップについては、容器本体に錠剤収納後の搬送時あるいは商品販売時における衝撃吸収作用を得る目的であり、これが不必要となった錠剤使用時には、当該緩衝用ベースカップを容器本体より取り外しての使用が可能である。
また、当該緩衝用ベースカップは、容器本体の底部に対する着脱自在なる構成により、当初より再利用を考慮した実施が可能である。
【００２６】
また、請求項４の錠剤収納容器によれば、前記容器本体の底部に嵌着する緩衝用ベースカップを、有底のカップ本体の筒状部の上側に、逆盃状の筒状部および容器本体の底部の筒状部との嵌着用の筒状部を設け、容器本体に前記筒状部を介して嵌着した際に、カップ本体の上側部に衝撃吸収用の機密的な空間部を形成することができるように構成したので、特に錠剤収納容器の落下時における衝撃をより効果的に吸収し、収納した錠剤の破損を防止することができる。
【００２７】
また、同様の作用により落下時のみならず容器本体に対する縦方向からの衝撃に対して、前記した蛇腹状部の衝撃吸収作用との相乗的な吸収作用により衝撃吸収作用を助長することができる。
【００２８】
さらに、請求項２，３，並びに請求項５，６の容器本体と緩衝用ベースカップの着脱の構成によれば、両者の適確な着脱操作性および嵌着作用を得ることができる。
【図面の簡単な説明】
【００２９】
【図１】本発明の実施例１を示す一部を縦断した錠剤収納容器の正面図である。
【図２】（ａ）は本発明の実施例１を示す容器本体の正面図、（ｂ）は緩衝用ベースカップの一部を縦断した正面図である。
【図３】（ａ）は容器本体の蛇腹状部を縮小した状態を示す説明図、（ｂ）は蛇腹状部の襞の形状を示す説明図である。
【図４】本発明の実施例２を示すもので、（ａ）は容器本体の底部に緩衝用ベースカップを嵌着した正面図、（ｂ）は容器本体の底部より緩衝用ベースカップを取り外した状態の容器本体の正面図、（ｃ）は緩衝用ベースカップの正面図、（ｄ）は容器本体の底部に緩衝用ベースカップを嵌着した状態を示す一部を縦断した拡大正面図である。
【図５】従来の錠剤収納容器の一部を縦断した正面図である。
【図６】（ａ）は、上方下方から押し潰すことができるようにした容器の正面図、（ｂ）は押し潰した状態を示す説明図である。
【発明を実施するための形態】
【００３０】
以下本発明の実施例を図面とともに詳細に説明する。
【実施例１】
【００３１】
図１〜図３は本発明の実施例１を示すもので、図１は錠剤収納容器の正面図、図２（ａ）は口部のキャップおよび底部の緩衝用ベースカップを取り外した容器本体の正面図、同（ｂ）は緩衝用ベースカップの一部を縦断した正面図、同（ｃ）は、容器本体の底部に緩衝用ベースカップを嵌着した状態の一部を縦断した部分正面図、図３（ａ）は容器本体の蛇腹状部を縮小した状態を示す説明図、同（ｂ）は蛇腹状部の襞の形状を示す説明図である。
【００３２】
本発明の錠剤収納容器１は、容器本体２と、この容器本体２の、上端部に設けた錠剤収納用の口部３にキャップ４を着脱自在に螺着するとともに底部５に着脱自在に嵌着した衝吸収用の緩衝用ベースカップ６から構成されている。そして、前記容器本体２は、前記キャップ４の螺着部３ａより下側部にラベル（図示せず）あるいは外周面に錠剤内容等の表示用の周側壁部７を設け、当該周側壁部７と底部５間の周側壁部に、水平方向の蛇腹状部８を設けることにより、図３（ａ）に示すように当該蛇腹状部８を、前記周側壁部７と底部５方向からの押し圧力にて押し潰すことによって、蛇腹状部８の各襞８ａが重なり合う潰された状態を保つことができるように形成されている。
【００３３】
また、前記蛇腹状部８は、複数の蛇腹状の襞８ａを連続して形成したもので、各襞８ａの形状については、図３（ｂ）に示す如く、外側方向に突出する山部Ｑを介して上下方向に連結する上辺部８ｂ、下辺部８Ｃとから形成されるとともに各襞８ａは、上下方向の各襞８ａの下辺部８Ｃと上辺部８ｂの端部が、容器本体１の内側方向に突出する谷部Ｐにて連結されることにより形成されている。
【００３４】
尚、図３（ｂ）においては、前記周側壁部７の端部７ａに連結される下辺部８Ｃの端部が谷部Ｐを介して直近の襞８ａの上辺部８ｂの端部に連結するとともに山部Ｑを介して下辺部８Ｃが連結する状態を示すもので、この襞８ａにたいして、下側方向に、以下の各襞８ａが連結形成されるものである。
【００３５】
そして、当該蛇腹状部８の各襞８ａの構成により、押し潰し作用の向上を計る構成が種々発明されている。例えば、図３（ａ）において、各襞８ａの上辺部８ｂを直線状とするのに対して、下辺部８Ｃを外側方向に湾曲させる湾曲面とすることにより各襞８ａに加わる押圧力による押し潰し作用を受けやすくして、押潰し操作を助長することができるように構成することができる。
【００３６】
また、この作用に加えて、各襞８ａ間の谷部Ｐにおける上辺部８ｂと下辺部８ｃの連結部分において、上辺部８ｂの端部に湾曲凹部８ｄを設ける構成が、さらに前記押潰し操作性を向上し得るものとして開発されている。
【００３７】
よって、前述してきた容器本体２に形成する前記蛇腹状部８の構成については、従来公知の種々の形態を採用しつつ実施することが可能である。前記緩衝用ベースカップ６は、前記容器体２の底部５に着脱自在に嵌着することができるように形成されている。
【００３８】
すなわち、容器本体２の底部５の筒状部５ａの上側周壁は、前記蛇腹状部８の最下段の襞８ａの下辺部８ｃに連結する上辺部８ｂを介して連結されることにより一体に形成されるとともに当該上辺部８ｂと底部５の筒状部５ａの上側周壁間には緩衝用ベースカップ６との環状の係合縁５ａが凹設されている。また、緩衝用ベースカップ６は有底のカップ本体６ａとこのカップ本体６ａの開口部６ｂに前記容器本体２の底部５に形成された係合縁５ａに係合する係合突縁６ｃが開口縁に沿って突設されることにより一体に形成されている。
【００３９】
よって、前記緩衝用ベースカップ６は、開口縁に突設した係合突縁６ａをその弾性により強制的に容器本体２の底部５の筒状部５ａの係合縁５ｂに係合することにより底部５に嵌着することができるとともに、逆に係合突縁６ａをその弾性により強制的に底部５の係合縁５ｂより離脱することにより、底部５より取り外すことができるように形成されている。
【００４０】
さて、以上の構成から成る本実施例から成る錠剤収納容器１は、容器本体２をペット樹脂等の合成樹脂により一体成形するとともにキャップ３および緩衝用ベースカップ６をそれぞれ所要の樹脂材料により一体成形するとともに必要に応じて、容器本体２の口部３にキャップ４を螺着し、かつ底部５に緩衝用ベースカップ６を嵌着して使用する。すなわち、所要の錠剤は、容器本体２内に口部３より収納するとともにキャップ４を螺着部３ａに螺着することにより錠剤を収納するものであるが、その錠剤搬送時の破損を防止するには、必要に応じて従来と同様にキャップ４の螺着に先立ってプラスチックシートを丸めて介装するそして、容器本体２の底部５には、緩衝用ベースカップ６を嵌着することにより容器本体２内に収納した錠剤を搬送するものである。
【００４１】
よって、容器本体２内に収納された錠剤は容器本体２の蛇腹状部８の緩衝作用により破損が防止されるとともに例えば容器本体２が落下した場合にも、底部５に嵌着される緩衝用ベースカップ６による緩衝作用により容器本体２内の錠剤の破損を防止することができるものである。
【００４２】
尚、錠剤収納後に口部３に介装されたプラスチックシート（図示しない）による緩衝によっても破損が防止されることは言うまでもない。さて、前記錠剤の破損防止作用に加えて、本実施例による錠剤収納容器１によれば容器本体２の蛇腹状部８により、容器本体２を上下方向から中心方向に押圧することによって、同部を押し潰した状態、すなわち、図３（ｂ）の状態に縮小することができる。
【００４３】
その結果、錠剤使用後の容器本体２の保管、搬送並びに廃棄処理作業を簡便ならしめることができる。また、そのスペースも従来の錠剤容器の容積に比し、少なくとも３分の一は縮小することができるので、保管、搬送並びに廃棄作業の効率を大幅に向上することができる。さらに、錠剤の種類によっては、緩衝用ベースカップ６の再利用を計ることができる。
【００４４】
尚、以上の実施例上、特に、容器本体２の構成については上側部に周壁が平面の周側壁部７を設け、同部７に印刷による表示あるいは図面にラベル等を表示することができるようにしたが、同周側壁部７を設けず、容器本体２全長に蛇腹状部８を形成した実施も勿論可能である。
【００４５】
（落下実験）
本発明錠剤収納容器の衝撃吸収作用効果を確認するため、比較容器Ａ（従来容器）および比較容器Ｂ（蛇腹式容器）と本発明の実施例１の錠剤収納容器１をそれぞれ落下試験を行い以下の表１〜６の落下試験結果を得た。
【００４６】
（試験方法）
〈縦方向落下〉
（１）レールを用い、高さ８０ｃｍの位置から各容器をレールに沿って縦方向に落下させる。
（２）落下後、各容器から全錠剤・粉末を取り出し、欠け錠および割れ錠を計数する。
〈横方向落下〉
（１）実験用机（高さ８０ｃｍ）から各容器を実験用机に沿って横向きに静置し、机端から静かに落下させる。
（２）落下後、各容器から全錠剤・粉末を取り出し、欠け錠および割れ錠を計数する。
【００４７】
（備考）
各容器は、通常３３０ｍｇ用容器であって、比較容器Ａは現行ボトル、比較容器Ｂは実施例１の容器本体２の底部５に緩衝用ベースカップ６を嵌着しない蛇腹式容器であるとともに本発明容器は、容器本体２の底部５に緩衝用ベースカップ６を嵌着した容器であって、それぞれの容器には錠剤を１０００錠充填したものである。
そして、各表における錠剤の欠けは、４ｍｍ２以上の欠け、錠剤の割れは、円形でないものをそれぞれ計数したものである。
【００４８】
【表１】
2012218756.tif 000015
【００４９】
【表２】
2012218756.tif 000016
【００５０】
【表３】
2012218756.tif 000017
【００５１】
【表４】
2012218756.tif 000018
【００５２】
【表５】
2012218756.tif 000019
【００５３】
【表６】
2012218756.tif 000020
【００５４】
以上の表１〜６の落下試験結果から明らかな通り、現行ボトル（比較容器Ａ）および蛇腹ボトル（比較容器Ｂ）に比較して、本発明容器の容器本体２の底部に緩衝用ベースカップ６を嵌着した容器の衝撃吸収作用効果は、不良錠剤発生率において格段の相違があり極めて効果的であることが明らかである。
【実施例２】
【００５５】
図４は、本発明の実施例２を示すもので、図４（ａ）は容器本体の底部に緩衝用ベースカップを嵌着した正面図、図４（ｂ）は容器本体の底部より緩衝用ベースカップを取り外した状態の容器本体の正面図、図４（ｃ）は緩衝用ベースカップの正面図、図４（ｄ）は容器本体の底部に緩衝用ベースカップを嵌着した状態を示す一部を縦断した拡大正面図である。
【００５６】
この実施例２は、前記実施例１における容器本体２の底部５並びに当該底部５に着脱自在に嵌着する緩衝用ベースカップ６の構成について、所期作用効果より適確に得られるようにしたものである。
【００５７】
すなわち、容器本体２の底部５には、容器本体２の蛇腹状部８の最下段の襞８ａの下辺部８ｃに、各襞８ａの最小外径（各襞８ａの上、下辺部８ｂ、８ｃ間の外径）と略同一外径からなる座掘時（各襞８ａの重なり合う潰されて状態時）のストッパー用筒状部９を連設するとともにこの筒状部９と底部５の外周側に沿って緩衝用ベースカップ１１とのストッパーリブ１０を突設することにより容器本体２と一体に形成されている。
【００５８】
他方、緩衝用ベースカップ１１は、前記容器本体２の蛇腹状部８の最大外径と同径かあるいは若干大径の外径からなるカップ状の本体１１ａの開口部に逆盃状の筒状部１１ｂを設けるとともにこの筒状部１１ｂに前記容器本体２の底部５に設けたストッパー用筒状部９の外側に外嵌する嵌着用の筒状部１１ｃを連設することにより一体に形成されている。
【００５９】
また、この緩衝用ベースカップ１１の前記嵌着用の筒状部１１ｃの内側周縁に沿って容器本体２の底部５の筒状部９外周に突設したストッパーリブ１０に嵌合する係合用の凹溝１１ｄを設けてある。
【００６０】
そして、前記緩衝用ベースカップ１１の容器本体２の底部５の筒状部９の外側に嵌着する筒状部１１ｃの内径は、筒状部９の外径と同一かあるいは若干細径とすることにより緩衝用ベースカップ１１の形成材料の有する弾性により、当該筒状部１１ｃを筒状部９に対して着脱自在に外嵌しつつ嵌着することができるように構成する。
【００６１】
すなわち、この筒状部９、１１ｃの着脱操作により前記緩衝用ベースカップ１１を容器本体２の底部５に対して着脱し得るように構成したものである。
また、前記筒状部１１ｃを筒状部９に外嵌した際には、筒状部１１ｃの内側周縁に設けた凹溝１１ｄが筒状部９の外周側に突設したストッパーリブ１０に係合し、筒状部１１ｃの筒状部９からの抜脱を防止することができるように構成されている。
【００６２】
よって、以上の構成からなる実施例２の錠剤収納容器１において、前記緩衝用ベースカップ１１を容器本体２の底部５に嵌着した場合、逆盃状の筒状部１１ｂの上側の筒状部１１ｃが容器本体２の底部５の筒状部９に嵌着されることにより気密性が発生し、緩衝用ベースカップ１１のカップ本体１１ａの内側に機密的な空間部を構成することができる。
【００６３】
従って、当該緩衝用ベースカップ１１を容器本体２の底部５に嵌着することによって得ようとする容器本体２内に収納した錠剤の欠け、割れ等の破損防止作用上、前記実施例１の緩衝用ベースカップ６による作用効果に比較して、前記緩衝用ベースカップ１１の場合にはカップ本体１１ａの内側に形成される機密的な空間部による衝撃吸収作用が大幅に向上し、より効果的な錠剤の破損防止効果を発揮することができるものである。
【００６４】
尚、前記実施例２の錠剤収納容器１における前記以外の構成上、実施例１と同一の構成については同一の番号を付してその説明を省略する。
【符号の説明】
【００６５】
１    錠剤収納容器
２    容器本体
３    口部
３ａ  螺着部
４    キャップ
５    底部
５ａ  係合縁
６、１１  緩衝用ベースカップ
６ａ  係合縁
７    周側壁部
８    蛇腹状部
８ａ  襞
８ｂ  上辺部
８ｃ  下辺部
９    ストッパー用筒状部
１０  ストッパーリブ
１１ａ  本体
１１ｂ  筒状部
１１ｃ  嵌着用の筒状部
１１ｄ  凹溝
Ｑ    山部
Ｐ    谷部